(57)【要約】【課題】非使用時に重ねて収納できる陳列什器を提供する。【解決手段】本発明にかかる陳列什器１は、左右の脚部３ａ、３ｂと、左右の脚部３ａ、３ｂを連結する斜め連結材５と、左右の各脚部に立設した側枠７ａ、７ｂと、左右の側枠間７ａ、７ｂに架設した棚枠９ａ、９ｂとを備え、左右の脚部３ａ、３ｂは前後方向で平行に配置してあり、斜め連結材５は左脚部３ａの前後方向の一方側と右脚部３ｂの前後方向の他方側を連結してあり、棚枠９ａ、９ｂは左右の受け部１９ａ、１９ｂと、左右の受け部を連結する連結部２１を有し、左右の受け部１９ａ、１９ｂは連結部２１から前方に突出しているとともに、左右の受け部１９ａ、１９ｂ間に空間Ｓ１を形成している。【選択図】図１
2016131780.tif 000002
【特許請求の範囲】
【請求項１】
左右の脚部と、左右の脚部を連結する斜め連結材と、左右の各脚部に立設した側枠と、左右の側枠間に架設した棚枠とを備え、左右の脚部は前後方向で平行に配置してあり、斜め連結材は左脚部の前後方向の一方側と右脚部の前後方向の他方側を連結してあり、棚枠は左右の受け部と、左右の受け部を連結する連結部を有し、左右の受け部は連結部から前方に突出しているとともに、左右の受け部間に空間を形成していることを特徴とする陳列什器。
【発明の詳細な説明】
【技術分野】
【０００１】
本発明は、陳列什器に関する。
【背景技術】
【０００２】
従来の陳列什器１０１は、図５に示すように、左右の脚部１０３ａ、１０３ｂと、左右の脚部１０３ａ、１０３ｂの前後方向中央部を連結材１０５で連結してあり、左右の各脚部に側枠１０７を立設していた。そして、側枠１０７間に棚枠１０９を設けていた。
この従来の陳列什器１０１は、非使用時にも使用時と同様に単独で置くようにしてあり、複数の陳列什器１０１の非使用時には大きな収納スペースを必要としていた。
【先行技術文献】
【非特許文献】
【０００３】
【非特許文献１】第３０１頁「タテヤマアドバンス  タテヤマゴンドラ  ＴＡＴＥＹＡＭＡ  ＧＯＮＤＯＲＡ  ２０１２．６」商品コード０９８２２１ＳＥ  三協立山株式会社  タテヤマアドバンス社  ２０１２年６月発行
【発明の概要】
【発明が解決しようとする課題】
【０００４】
これに対して、非使用時に重ねて収納することで収納スペースを小さくできる陳列什器が望まれていた。
【０００５】
そこで、本発明は、非使用時に重ねて収納できる陳列什器の提供を目的とする。
【課題を解決するための手段】
【０００６】
請求項１に記載の発明は、左右の脚部と、左右の脚部を連結する斜め連結材と、左右の各脚部に立設した側枠と、左右の側枠間に架設した棚枠とを備え、左右の脚部は前後方向で平行に配置してあり、斜め連結材は左脚部の前後方向の一方側と右脚部の前後方向の他方側を連結してあり、棚枠は左右の受け部と、左右の受け部を連結する連結部を有し、左右の受け部は連結部から前方に突出しているとともに、左右の受け部間に空間を形成していることを特徴とする陳列什器である。
【発明の効果】
【０００７】
請求項１に記載の発明によれば、複数の陳列棚を、前に位置する陳列什器に対して後ろに位置する陳列什器について、脚部を左右に隣り合わせに配置すると共に斜め連結材を前後に隣り合わせに配置することで脚部及び斜め連結材を重ね、左右の各受け部及び側枠を左右で隣り合わせに配置すると共に連結部を前後に隣り合わせに配置することで、複数の陳列什器を前後に重ねて収納することができる。
【図面の簡単な説明】
【０００８】
【図１】本発明の実施の形態にかかる陳列什器の斜視図である。
【図２】図１に示す陳列什器を２つ重ねて収納した状態であって、（ａ）は最下段に位置する棚枠よりも上の段の棚枠を省略して示す平面図であり、（ｂ）は左右の脚部と斜め連結材を抜き出して示す平面図である。
【図３】図１に示す陳列什器の図であり、（ａ）は正面図、（ｂ）は側面図、（ｃ）は平面図である。
【図４】図１に示す陳列什器を４つ重ねて収納した状態であって、最下段に位置する棚枠よりも上の段の棚枠を省略して示す図であり、（ａ）は脚部を前面に対して直角に配置した状態であり、（ｂ）は脚部を前面に対して傾斜して配置した状態である。
【図５】従来の陳列什器の斜視図である。
【発明を実施するための形態】
【０００９】
以下に、添付図面の図１〜図４を参照して、本発明の実施の形態を説明する。
図１及び図３に示すように、本発明の実施の形態にかかる陳列什器１は、左脚部３ａ及び右脚部３ｂと、左脚部３ａと右脚部３ｂを連結する斜め連結材５と、左脚部３ａに立設した左側枠７ａと、右脚部３ｂに立設した右側枠７ｂと、左右の側枠７ａ、７ｂ間に架設した棚枠９ａ、９ｂとを備えている。
左脚部３ａ及び右脚部３ｂは互いに前後方向で平行に配置してある。各脚部３ａ、３ｂは中空材でできており、各脚部３ａ、３ｂの下面には前後方向に間隔をあけてキャスタ１１が設けてある。
図１及び図２（ｂ）に示すように、斜め連結材５は左脚部３ａの前側と右脚部３ｂの後側を連結してあり、左右の脚部３ａ、３ｂ及び斜め連結材５とで、平面視Ｚ形状を成している。斜め連結材５は中空材でできている。また、斜め連結材５と左脚部３ａで後側に開いた後Ｖ字空間Ｖ１を形成しており、斜め連結材５と右脚部３ｂで前側に開いた前Ｖ字空間Ｖ２を形成している。
【００１０】
左側枠７ａ及び右側枠７ｂは、各々線材でできており且つ一つの線材で形成してある。左側枠７ａは、左脚部３ａの前側で立設する前側立設部１３と、後側で立設する後側立設部１５と、前側立設部１３と後側立設部１５との上端部を連結する連結部１７とを有し、前側立設部１３、後側立設部１５及び連結部１７とで、側面視コ字形状を成している。
また、前側立設部１３と後側立設部１５とは互いに平行にしてある。
右側枠７ｂも左側枠７ａと同様の構成であり、前側立設部１３と後側立設部１５と連結部１７とで側面視コ字形状に形成してある。
尚、図３（ｂ）に示すように、左側枠７ａ及び右側枠７ｂは、後側へ傾斜して立設している。
【００１１】
図１及び図３に示すように、棚枠９ａ、９ｂは、本実施の形態では３つあり、最上位置にある略水平棚枠９ａと、その下に設けた２つの傾斜棚枠９ｂ、９ｂである。各棚枠９ａ、９ｂは、左受け部１９ａと、右受け部１９ｂと、左右の受け部１９ａ、１９ｂの中間部を連結する連結部２１を有している。また、各棚枠９ａ、９ｂは、左右の側枠７ａ、７ｂと同種の線材でできている。各棚枠９ａ、９ｂの左受け部１９ａ及び右受け部１９ｂは同じ構成であり、略長方形状で前後に長く形成してある。各受け部１９ａ、１９ｂの前端部には上方に突設した前側規制部２３が形成してある。この前側規制部２３は棚枠９ａ、９ｂに載置したボックス（後述する）２７が前側に滑って突出したり、落ちるのを防止するものである。
略水平棚枠９ａの下にある２つの傾斜棚枠９ｂ、９ｂは、前側を低くして前後に傾斜してあり、最上段の略水平棚枠９ａは、略水平にしてある。
【００１２】
傾斜棚枠９ｂ、９ｂの連結部２１は、前後に間隔をあけて水平に配置した前側連結材２１ａと後側連結材２１ｂとを有し、前側連結材２１ａは左側端を左側枠７ａの前側立設部１３に固定してあり、右側端を右側枠７ｂの前側立設部１３に固定してある。後側連結材２１ｂは左側端を左側枠７ａの後側立設部１５に、右側端を右側枠７ｂの後側立設部１５に固定してある。
最上位置にある略水平棚枠９ａの連結部２１は前側連結材２１ａのみであり、前側連結材２１ａは、左側端を左側枠７ａの前側立設部１３に、右側端を右側枠７ｂの前側立設部１３に固定してある。略水平棚板９ａの前側連結材２１ａは左受け部１９ａと右受け部１９ｂとの間が、約線材の厚み分だけ下方に凹んだ凹部（図１及び図３（ｂ参照））２５としてある。
各棚枠９ａ、９ｂは、連結部２１よりも前方に突出した左受け部１９ａと右受け部１９ｂとの間で前側空間Ｓ１を形成している。更に、左受け部１９ａと右受け部１９ｂは、連結部２１よりも後方に突出して後側空間Ｓ２を形成している。
【００１３】
次に、本実施の形態にかかる陳列什器１の商品陳列（使用時）について説明する。
図３（ｂ）に示すように、各棚枠９には、商品を収納したボックス２７（図３（ｂ）中に一点鎖線で示す）を載置して、商品を陳列する。ボックス２７は上面が開口して商品を出し入れするようにしてある。
陳列什器１は、約１００ｍｍの高さであり、各ボックス２７内を上から見ることができる。尚、図３（ｂ）中に二点鎖線で示すのは、後ろに重ねた陳列什器１である。
【００１４】
陳列什器１による商品陳列終了後には、各ボックス２７を棚枠９から降ろして、図１に示す非使用状態とした後、下記に記載するようにして複数の陳列什器１を重ねて収納する。
まず、図２（ｂ）に示すように、前側の陳列什器１（図中実線で示す）の左脚部３ａの右側に、後側の陳列什器１（図中二点鎖線で示す）の左脚部３ａを隣り合わせに配置し、前側の陳列什器１の斜め連結材５の後に後側の陳列什器１の斜め連結材５を隣り合わせに配置する。また、前側の陳列什器１の右脚部３ｂの右側に、後側の陳列什器１の右脚部３ｂを隣り合わせに配置する。
これにより、図２（ａ）に示すように、後側の陳列什器１の左側枠７ａ及び左受け部１９ａは、前側の左側枠７ａ及び左受け部１９ａの右側に隣り合わせに位置し、後側の陳列什器１の右側枠７ｂ及び右受け部１９ｂは、前側の右側枠７ｂ及び右受け部１９ｂの右側に隣り合わせに位置する。即ち、各棚枠９ａ、９ｂでは、左右の受け部１９ａ、１９ｂが、連結部２１から前方に突出しているとともに、左右の受け部１９ａ、１９ｂ間に空間Ｓ１を形成しているので、前側の陳列什器１の右受け部９ｂ及び右側枠７ｂを、後側の陳列什器１の空間Ｓ１に配置することで、複数の陳列什器１を順次後に深く重ねて収納することができ、収納スペースを小さくできる。
尚、図３（ｂ）に示すように、前側の陳列什器１の最上段に位置する略水平棚枠９ａの連結部２１では、線材分だけ下方に凹んだ凹部２５において、前側連結材２１ａの上に後側の陳列什器１の略水平棚枠９ａの左受け部１９ａの前側が乗り上げる。これにより、後側の陳列什器１の略水平棚枠９ａの左受け部１９ａは連結部２１を超えた前側の位置に配置することができ、前側の陳列什器１と後側の陳列什器を深く重ねて収納することができ、収納スペースを小さくできる。
【００１５】
本実施の形態にかかる陳列什器１によれば、前後に順次陳列什器１を重ねていくことで、図４（ａ）に示すように、４つの陳列什器１を重ねて収納する。これにより、非使用時に複数の陳列什器１を重ねて収納することで収納スペースを小さくできる。
図３（ｂ）に示すように、上から２段目及び３段目にある傾斜棚枠９ｂは、前側を低くして前後に傾斜しているので、前後の陳列什器１、１では、前の傾斜棚枠９ｂの後側の下に後の傾斜棚枠９ｂが位置するので、左受け部１９ａ及び連結部２１は、平面視では上述した左右の隣り合わせになる配置となるが、後側の左受け部１９ａ及び連結部２１は前側の棚枠９の下側に位置する。このように、棚枠９ｂを傾斜させることにより、簡単に重ねることができる。
左右の側枠７ａ、７ｂは後側へ傾斜して立設しており、各傾斜棚枠９ｂ、９ｂは前側を下にして傾斜しているので、上下の傾斜棚枠９ｂ、９ｂに載置したボックス２７を下側ほど前に配置でき、棚枠９ｂ、９ｂに載置したボックス２７内が見やすい。
【００１６】
左右の脚部３ａ、３ｂは、互いに前後方向で平行に配置してあるので、複数の陳列什器１を左右に一列に並べて配置したときに、左の陳列什器１の右脚部３ｂと右の陳列什器１の左脚部３ａとを隣り合わせに隙間なく並べることができる。また、隣り合う陳列什器１、１間を隙間なく並べることで整然と配列でき外観が良い。
左右の脚部３ａ、３ｂと斜め連結材５とでＺ形状を形成し、前側Ｖ字空間Ｖ１と後側Ｖ字空間Ｖ２とを形成しているので、左右の脚部３ａ、３ｂ間では、前側及び後側のいずれの側からでも陳列什器１を重ねて収納できる。
【００１７】
各棚枠９ａ、９ｂにおいて、左右の受け部１９ａ、１９ｂは、連結部２１の前側と後側とで前後に突設して設けてあるから、前後方向における受け部１９ａ、１９ｂの長さを長くでき、前後寸法の長いボックス２７を安定して載置できる。
更に、最上段の略水平棚枠９ａでは、左右の受け部１９ａ、１９ｂ間では、連結部２１の前側空間Ｓ１及び後側空間Ｓ２を形成しているから、受け部１９ａ、１９ｂを前後に長くしても、陳列什器１を前後に深く重ねて収納し、前後方向の収納空間を小さくできる。
左右の側枠７ａ、７ｂ及び棚枠９ａ、９ｂは線材からなり、左右の脚部３ａ、３ｂ及び斜め連結材５は中空材としているので、軽量で且つ材料コストを安価にできる。
【００１８】
本発明は、上述した実施の形態に限らず、本発明の要旨を逸脱しない範囲で種々変形可能である。
例えば、図４（ｂ）に示すように、陳列什器１を重ねる際には、前面に対して左右の脚部３ａ、３ｂが傾斜位置にして重ねても良い。この場合には、収納幅Ｗ２は、図４（ａ）に示す脚部３ａ、３ｂを前面に対して垂直にして重ねる場合の収納幅Ｗ１よりも小さくできる。
斜め連結材５は、左脚部３ａの後側と右脚部３ｂの前側を連結するものであっても良い。
陳列什器１は、２段目及び３段目の傾斜棚枠９ｂを、最上段の略水平棚枠９ａとしても良い。また、最上段の略水平棚枠９ａを傾斜棚枠９ｂとしても良い。
各棚枠９ａ、９ｂは、左右の受け部１９ａ、１９ｂを連結部２１よりも前側にのみ突出する構成としても良い。
【符号の説明】
【００１９】
１    陳列什器
３ａ  左脚部
３ｂ  右脚部
５    斜め連結材
７ａ  左側枠
７ｂ  右側枠
９ａ  略水平棚枠（棚枠）
９ｂ  傾斜棚枠
２１  連結部
１９ａ  左受け部
１９ｂ  右受け部
Ｓ１    前側空間（空間）
【図１】
2016131780.tif 000003
【図２】
2016131780.tif 000004
【図３】
2016131780.tif 000005
【図４】
2016131780.tif 000006
【図５】
2016131780.tif 000007